(57)【特許請求の範囲】
【請求項１】
所定の温度の液体が導入され、当該液体の流通により着用者の体温調節を行う体温調節服であって、
重ね合わされた液密性を有する複数の樹脂シートと、
前記複数の樹脂シートを所定の間隔で重着してなる複数の重着部であって、そのうち少なくとも２以上が帯状となっているものと、
前記帯状の重着部の間であって、かつ、対向する樹脂シート同士に挟まれる場所に存し、前記液体が流通する第１流路部と、
前記重着部同士の間であって、かつ、対向する樹脂シート同士に挟まれる場所に存し、空気が流通する第２流路部とを備え、
第２流路部には、それぞれ前記着用者の体に向けて開口する複数の孔が設けられていることを特徴とする体温調節服。
【請求項２】
前記第２流路部は、経路の途中にファンが挿設されており、前記ファンの下流側に存する陽圧部と、ファンの上流側に存する陰圧部とに区分され、
前記複数の孔は、前記陽圧部及び前記陰圧部の双方に設けられていることを特徴とする請求項１記載の体温調節服。
【請求項３】
前記陰圧部には、通気性を有するクッション材が内包されていることを特徴とする請求項２記載の体温調節服。
【請求項４】
前記複数の樹脂シートは、２枚のみであり、
第１流路部と第２流路部が共に、前記樹脂シートの延面方向に延びるように設けられていることを特徴とする請求項１、２又は３記載の体温調節服。
【請求項５】
前記第２流路部は、外部から前記空気を導入、又は服内部から前記空気を排出する流通口が設けられていることを特徴とする請求項１記載の体温調節服。
【発明の詳細な説明】
【技術分野】
【０００１】
本発明は体温調節服に関するものである。
【背景技術】
【０００２】
高温或いは低温の作業環境にある屋内での作業や、夏期と冬期における屋外での作業は、人体の健康に様々な悪影響を及ぼすことから、従来においてもその対策として人体を冷やしたり加温したりして着用者の体温を調節する衣服が種々案出されている。
【０００３】
従来における斯かる衣服は、いずれも衣服の内面に全体的に可撓性を有するチューブを配設し、該チューブ内に冷水や温水等の液体を通すことによって人体を冷やし、或いは温めるものである。
【０００４】
しかし、液体として冷水を用いる場合には、温度条件によっては結露が生じ、着用者に不快感を与えることがある。また、液体として温水を用いる場合には、結露の問題は生じないものの、温水が流通するパイプの部分だけの加温であり、衣服内部の全体的な加温ではないから、加温効率の点において今一歩の感があった。加えて、着用者の発汗により蒸れが生じることがあった。
【発明の概要】
【発明が解決しようとする課題】
【０００５】
本発明は上記の点に鑑みなされたものであって、人体を冷やしたり加温したりする媒体として冷水を用いる場合においては、温度条件によって結露が生じることがあったとしても、衣服内部から空気を吹き込んでこれを肌に当てることにより、着用者にドライ感を与えて不快感を軽減し、また、温水を用いる場合においては、衣服内に空気を導入することにより、温水による熱をもって該空気を温め、もって衣服の内部全体が温まり、加温効率が一段と向上し、また蒸れを軽減するようになした体温調節服を提供しようとするものである。
【課題を解決するための手段】
【０００６】
而して、本発明の要旨とするところは、所定の温度の液体が導入され、当該液体の流通により着用者の体温調節を行う体温調節服であって、
重ね合わされた液密性を有する複数の樹脂シートと、
前記複数の樹脂シートを所定の間隔で重着してなる複数の重着部であって、そのうち少なくとも２以上が帯状になっているものと、
前記帯状の重着部の間であって、かつ、対向する樹脂シート同士に挟まれる場所に存し、前記液体が流通する第１流路部と、
前記重着部同士の間であって、かつ、対向する樹脂シート同士に挟まれる場所に存し、空気が流通する第２流路部とを備え、
第２流路部には、それぞれ前記着用者の体に向けて開口する複数の孔が設けられていることを特徴とする体温調節服にある。
【０００７】
また、上記構成において、前記第２流路部は、経路の途中にファンが挿設されており、前記ファンの下流側に存する陽圧部と、ファンの上流側に存する陰圧部とに区分され、
前記複数の孔は、前記陽圧部および前記陰圧部の双方に設けるようになしてもよい。
【０００８】
また、上記構成において、前記陰圧部を挟んでいる一対の前記樹脂シートは、強磁性を有し、互いに反発し合う面を対向させた状態で前記重着が行われるようになしてもよい。
【０００９】
また、上記構成において、前記陰圧部には、通気性を有するクッション材が内包されているようになしてもよい。
【００１０】
また、上記構成において、前記複数の樹脂シートは、２枚のみであり、第１流路部と第２流路部が共に、前記樹脂シートの延面方向に延びるように設けられているようになしてもよい。
【００１１】
また、上記構成において、前記第２流路部は、外部から前記空気を導入又は服内部から前記空気を排出する流通口が設けられているようになしてもよい。
【００１２】
また、上記構成において、前記第１流路部を挟んでいる一対の前記樹脂シートは、強磁性を有し、互いに反発しあう面を対向させた状態で前記重着が行われているようになしてもよい。
【発明の効果】
【００１３】
本発明に係る体温調節服は、上記の如く、所定の温度の液体が導入され、当該液体の流通により着用者の体温調節を行う体温調節服であって、重ね合わされた液密性を有する複数の樹脂シートと、前記複数の樹脂シートを所定の間隔で重着してなる複数の重着部であって、そのうち少なくとも２以上が帯状となっているものと、前記帯状の重着部の間であって、かつ、対向する樹脂シート同士に挟まれる場所に存し、前記液体が流通する第１流路部と、前記重着部同士の間であって、かつ、対向する樹脂シート同士に挟まれる場所に存し、空気が流通する第２流路部とを備え、第２流路部には、それぞれ前記着用者の体に向けて開口する複数の孔が設けられていることを特徴とするものであるから、人体を冷やしたり加温したりする媒体として冷水を用い、これを第１流路部に通す場合においては、温度条件によって結露が生じることがあったとしても、第２流路部の孔から空気を吹き込んでこれを肌に当てることにより、着用者にドライ感を与えて不快感を軽減することができるものである。また、冷水に代えて温水を用い、これを第１流路部に通す場合においては、第２流路部を介して衣服内に空気を導入することにより、温水による熱をもって該空気を温め、もって服の内部全体が温まり、加温効率が一段と向上するものである。また、着用者が汗をかいても、服内に空気が流通しているため、蒸れを軽減することができるものである。
【００１４】
また、上記構成において、前記第２流路部は、経路の途中にファンが挿設されており、前記ファンの下流側に存する陽圧部と、ファンの上流側に存する陰圧部とに区分され、
前記複数の孔が、前記陽圧部及び前記陰圧部の双方に設けられている場合には、服内の空気を循環させ、熱を外部に逃がさないことにより、効率の良い体温調節が可能となるものである。
【００１５】
また、上記構成において、前記陰圧部を挟んでいる一対の前記樹脂シートは、強磁性を有し、互いに反発し合う面を対向させた状態で前記重着が行われている場合には、陰圧のために経路が潰れて塞がれるのを、もしくは、服の屈曲により経路が潰れて塞がれるのを、磁力の反発力で防止することができるものである。そしてまた、この場合においては第２流路部内には何らの詰め物を必要としないから、圧力損失が軽微であり、ファンの小型化やコストの軽減が可能となるものである。
【００１６】
また、上記構成において、陰圧部には、通気性を有するクッション材が内包されている場合には、上記磁力の反発力による場合と同様に、陰圧のために経路が潰れて塞がれるのを、もしくは、服の屈曲により経路が潰れるのを、防止することができるものである。
【００１７】
また、上記構成において、複数の樹脂シートは、２枚のみであり、第１流路部と第２流路部が共に、前記樹脂シートの延面方向に延びるように設けられている場合には、樹脂シートが２枚のみのため、低重量化および低コスト化が可能となるものである。
【００１８】
また、上記第２流路部の経路の途中にファンを挿設する代わりに、第２流路部に、外部から前記空気を導入又は排出する流通口を設けて、ファンを外置きにした場合には、空気を人体に吹きっぱなしにする、又は服内部から空気を排出して、服の周囲から外気を取り込むことができるものである。
【００１９】
また、上記構成において、第１流路部を挟んでいる一対の前記樹脂シートは、強磁性を有し、互いに反発しあう面を対向させた状態で前記重着が行われている場合には、第１流路部から液体を抜いて長期保管する場合において、該第１流路部を挟んでいる一対の樹脂シート同士がはりついてしまうことを防止することができるものである。
【図面の簡単な説明】
【００２０】
【図１】本発明の第１実施形態に係る体温調節服の正面図である。
【図２】同２枚の樹脂シートを重ねた状態において胴部構成部と袖部構成部とからなる体温調節服の形状に裁断すると共に、所定の間隔で帯状に重着して第１流路部と第２流路部を備えた状態の展開平面図である。
【図３】同要部の拡大断面図である。
【図４】同第２流路部の陰圧部を挟んでいる一対の樹脂シートを、強磁性を有し、互いに反発し合う面を対向させた状態で重ね合わせた部分断面図である。
【図５】本発明の第２実施形態に係る体温調節服の３枚の樹脂シートを重ねた状態において胴部構成部と袖部構成部とからなる体温調節服の形状に裁断すると共に、所定の間隔で帯状および点状に重着した状態の、最上部の樹脂シートを省略して示した展開平面図である。
【図６】同要部の拡大断面図である。
【図７】本発明の第３実施形態に係る体温調節服の４枚の樹脂シートを重ねた状態において胴部構成部と袖部構成部とからなる体温調節服の形状に裁断すると共に、所定の間隔で帯状および点状に重着した状態の、最上部とその下の樹脂シートを省略して示した展開平面図である。
【図８】同要部の拡大断面図であり、図１１中において破線で示す部分を示すものである。
【図９】図７中Ａ部分の拡大分解斜視図である。
【図１０】図７中Ｂ部分の拡大分解斜視図である。
【図１１】同空気の流路の立体図である。
【発明を実施するための形態】
【００２１】
以下、本発明を実施するための形態について、図面を参照して説明する。
【００２２】
先ず、図１乃至図４に示した本発明の第１実施形態について説明する。
【００２３】
図中、１は所定の温度の液体が導入され、当該液体の流通により着用者の体温調節を行う体温調節服である。また、該体温調節服１は、本実施形態においては図１に示す如き袖の短い衣服の形態となしており、前身頃２の中央の開放部分（左前身頃と右前身頃の合わせ目）に閉止手段としてのスライドファスナー３を備え、両脇が開いた胴部１Ａと、該胴部１Ａの肩から両脇に延出する、脇の下側の部分が開いた袖部１Ｂ、１Ｂとからなるものである。尚、図中４は後身頃である。
【００２４】
また、前記胴部１Ａにおける両脇の開いた部分の合わせ目に、ゴムバンド５とバックル６とからなる結合手段７を備えると共に、袖部１Ｂ、１Ｂの夫々における下側の開いた部分の合わせ目に、この合わせ目を結合するための、一方の合わせ目に取着したバンド８と、該バンド８の自由端に設けた面ファスナー９と、もう一方の合わせ目に取着した面ファスナー１０とからなる結合手段１１を備えている。
【００２５】
また、該体温調節服１は、重ね合わされた液密性を有する２枚の樹脂シートＳ１、Ｓ２をもって構成される本体部１２と、該本体部１２と同形同大で、周縁部を該本体部１２の周縁部に接合する、該本体部１２の外面側を覆う断熱保護シート１３と、該本体部１２と同形同大で、周縁部を該本体部１２の周縁部に接合する、該本体部１２の内面側を覆う通気性の生地材１４とからなるものである。尚、前記断熱保護シート１３と通気性の生地材１４は、本発明の構成上においては必須のものではない。
【００２６】
また、前記本体部１２を構成する重ね合わされた２枚の樹脂シートＳ１、Ｓ２は、図２に示す如く、方形状の後身頃４ａ′と、該後身頃４ａ′の半分の幅の方形状の左前身頃２ａ′と右前身頃２ａ″とからなり、前記左前身頃２ａ′と右前身頃２ａ″に襟ぐり部２ｂを設けた胴部構成部１Ａ′と、前記胴部構成部１Ａ′から遠ざかる側に位置する端縁部から前記胴部構成部１Ａ′寄りの位置にかけて延びる継ぎ目Ｐを有する袖部構成部１Ｂ′、１Ｂ′とからなるように裁断される。尚、継ぎ目Ｐは、後述の重着部Ｊ及びＪ１が形成された後に、溶着等により張り合わされる。
【００２７】
そして、前記２枚の樹脂シートＳ１、Ｓ２は、その周縁部同士を溶着して重着部Ｊを形成すると共に、該樹脂シートＳ１、Ｓ２の延面方向に延びる、即ち、本実施形態における平面的に展開した状態の前記胴部構成部１Ａ′と袖部構成部１Ｂ′、１Ｂ′にかけて延びる帯状の溶着部分即ち重着部Ｊ１、Ｊ１・・・が複数設けられている。そしてまた、近接し、隣り合う該帯状の重着部Ｊ１、Ｊ１・・・における所定の帯状の重着部Ｊ１、Ｊ１の間であって、かつ、対向する樹脂シートＳ１、Ｓ２同士に挟まれる場所には、体温調節用の液体が流通する第１流路部Ｌ１が存在する。
【００２８】
また、図２に示すように、第１流路部Ｌ１に囲まれる範囲の一部に空気が流通する第２流路部Ｌ２が形成される。つまり第２流路部も、第１流路部と同様に、前記帯状の重着部Ｊ１、Ｊ１同士の間であって、かつ、対向する樹脂シートＳ１、Ｓ２同士に挟まれる場所に存在する。そして、該第２流路部Ｌ２の夫々には、着用者の体に向けて開口する複数の孔Ｈを設けている。
【００２９】
また、前記第２流路部Ｌ２は、経路の途中にファンＦが挿設されており、該ファンＦの下流側に存する陽圧部Ｌ２′と、該ファンＦの上流側に存する陰圧部Ｌ２″とに区分されている。そして、前記孔Ｈは該陽圧部Ｌ２′と陰圧部Ｌ２″の双方に設けられている。尚、Ｆ′、Ｆ′は、該ファンＦと、第２流路部における陽圧部Ｌ２′と陰圧部Ｌ２″の前記孔Ｈのある側と反対側に開口した孔Ｈ′とを接続するフレキシブルダクトである。
【００３０】
また、前記陰圧部Ｌ２″には通気性を有するクッション材ＣＳが内包されている。尚、Ｍは前記孔Ｈ′に備えたメッシュ材である。また、斯かるクッション材ＣＳは陰圧のため経路が潰れて塞がれるのを防止するためのものであるから、これに代えて、例えば、図４に示す如き、磁力の反発力で防止するようにしてもよい。図４（Ａ）は、樹脂シートＳ１、Ｓ２を磁性を有するシートとし、これらを同極性同士が向き合う方向で溶着するものであり、また、図４（Ｂ）は、磁性体を同極性同士が向き合う方向で経路内に固定するものである。
【００３１】
そして、本実施形態は、上記の如き本体部１２と、該本体部１２の外面側を覆う断熱保護シート１３と、該本体部１２の内面側を覆う通気性の生地材１４とを重ね合わせてその周縁部を接合し、左前身頃と右前身頃の合わせ目に閉止手段としての前記スライドファスナー３を取り付けると共に、後身頃の両端部と左前身頃及び右前身頃の夫々の外側部に、結合手段としての前記ゴムバンド５とバックル６とからなる結合手段７を取り付け、更にまた、夫々の袖部の幅方向における反対側の外側部に、結合手段としての前記バンド８と面ファスナー９、１０とからなる結合手段１１を取り付け、その後、夫々の袖部における継ぎ目Ｐを合わせて接合した後、表裏反転させ、断熱保護シート１３が外面側になるようにして左前身頃と右前身頃を後身頃に重なるように折り返し、最後に後身頃の両側部と左前身頃及び右前身頃の夫々の外側部との合わせ目を前記結合手段７で結合すると共に、夫々の袖部の脇の下側の開いた部分の合わせ目を前記結合手段１１で結合するものである。
【００３２】
次に、上記実施形態の作用について説明する。
着用者の体温を下げるときには、第１流路部Ｌ１に液体として冷水を流通させるものである。また、この第１流路部Ｌ１は、図示しない冷却装置によって冷却された冷水を循環させるように前記本体部１２に備えられており、胴部構成部１Ａ′における後身頃４ａ′を通り、袖部構成部１Ｂ′、１Ｂ′を経由するものとしないものとに分かれたその先で胴部構成部１Ａ′における左前身頃２ａ′と右前身頃２ａ″の夫々に至った後、再び胴部構成部１Ａ′における後身頃４ａ′に至るようになされている。また、その経路の途中部は蛇行状になっている。尚、図中Ｐ１は冷水送入側のチューブ、Ｐ２は冷水排出側のチューブであり、Ｐ１′は分流管、Ｐ２′は合流管である。尚、冷水の出入口をＰ１とＰ２で入れ替えてもよい。
【００３３】
そしてまた、図３に示す如く、第１流路部Ｌ１に冷水が流通しているときには、これと同時に第２流路部Ｌ２における陽圧部Ｌ２′の孔Ｈから着用者の肌に向けて空気が吹き付けられている。これは第２流路部Ｌ２の経路の途中に挿設されたファンＦの作動によって行われ、第２流路部Ｌ２における陽圧部Ｌ２′から着用者の肌に向けて吹き付けられた空気は、着用者の肌の表面に沿って流れた後、第２流路部Ｌ２における陰圧部Ｌ２″がファンＦの吸引作用によって負圧状態となっていることから、これの孔Ｈから該陰圧部Ｌ２″に吸い込まれ、その後再び陽圧部Ｌ２′から吹き出されるものである。したがって、このように冷水を用いる場合において。温度条件によって結露が生じることがあったとしても、第２流路部Ｌ２の孔Ｈから空気を吹き込んでこれを肌に当てることにより、着用者にドライ感を与えて不快感を軽減することができるものである。
【００３４】
また、冷水に代えて温水を用いる場合には、第１流路部Ｌ１内を流通する温水の熱をもって第２流路部Ｌ２内の空気が温められ、そしてこの温められた空気は、第２流路部Ｌ２を介して服の内部全体に行きわたり、もって体温調節効率が一段と向上するものである。さらに、着用者が汗をかいても、服内の空気の流通により、蒸れ感が軽減されるものである。
【００３５】
また、本実施形態は、本体部１２を２枚の樹脂シートＳ１、Ｓ２のみで構成しているから、低重量化及び低コスト化を可能にすることができるものである。
【００３６】
また、図示はしないが、前記第１流路部Ｌ１を挟んでいる樹脂シートＳ１、Ｓ２を、前記第２流路部Ｌ２における陰圧部Ｌ２″におけると同様に、強磁性を有し、互いに反発し合う面を対向させた状態で重着した場合には、第１流路部Ｌ１から液体を抜いて長期保管する場合において、該第１流路部Ｌ１を挟んでいる樹脂シートＳ１、Ｓ２同士がはりついてしまうことを防止することができるものである。
【００３７】
また、本実施形態は、上記の通り第２流路部の経路の途中にファンＦが挿設され、服内の空気を循環させるようになされているが、図示はしないが、該ファンＦを挿設しないで構成してもよく、そしてまた、該構成において前記孔Ｈと反対側に、外部から空気を導入し、又は服内部から空気を排出する流通口を設けるようになしてもよい。この場合には、流通口を介して外部から導入した空気を孔Ｈを介して直接人体に吹きっぱなしにするか、又は服内部から空気を排出して服の周囲から外気を取り込むものである。ここでは、ファンＦに二重反転ファンを適用した例を示しているが、シロッコファン等のその他のファンを用いても構わない。
【００３８】
次に、図５及び図６に示した本発明の第２実施形態について説明する。
【００３９】
本実施形態と前記第１実施形態との相違点は、本実施形態において本体部が３枚の樹脂シートをもって構成される点と、重着部が帯状の重着部と環状の重着部とからなる点と、ファンによる空気の循環経路が異なる点にある。尚、図において第１実施形態におけると同一の部材には同一の符号を付して詳細な説明は省略する。
【００４０】
即ち、本実施形態においては、本体部１２が３枚の樹脂シートＳ１、Ｓ２、Ｓ３とをもって構成されている。そしてまた、樹脂シートＳ１、Ｓ２における重着部は、周縁部の重着部Ｊを除き、前記第１実施形態におけると同様の帯状の重着部Ｊ１と、該帯状の重着部Ｊ１の間に設けられる、中心部に空気の通過する孔Ｈ２を有する環状の重着部Ｊ２とからなるものである。また、最上部の樹脂シートＳ３と前記樹脂シートＳ１、Ｓ２との重着部（３枚同時に重着される部分）Ｊ３は、複数（本実施形態においては２つ）の第１流路部Ｌ１、Ｌ１を挟んだ位置にあり、中心部に空気の通過する孔Ｈ３を有する環状の重着部である。そして、該環状の重着部Ｊ３、Ｊ３同士の間であって、かつ対向する樹脂シートＳ２、Ｓ３同士に挟まれる場所に、空気が流通する第２流路部Ｌ２が存在する。
【００４１】
ファンＦによる空気の循環経路において、本実施形態においては、前記第２流路部Ｌ２と、重ねた状態における３枚の樹脂シートＳ１、Ｓ２、Ｓ３の前記の帯状の重着部Ｊ１と環状の重着部Ｊ２を外れた位置の環状の重着部Ｊ４とを繋ぐ経路上にファンＦを挿設している。尚、Ｈ４は該環状の重着部Ｊ４における中心部の空気の流通する孔であり、Ｈ４′は前記第２流路部Ｌ２における空気の流通する孔である。
【００４２】
而して、本実施形態においては、ファンＦにより空気が前記環状の重着部Ｊ４の空気の流通する孔Ｈ４から着用者の肌に向けて吹き付けられるものであり、そして、この空気は着用者の肌に沿って流れた後、孔Ｈ２から第２流路部Ｌ２内に流入する一方、孔Ｈ２、Ｈ３を通って最上部の樹脂シートＳ３と断熱保護シート１３との間に流入するものである。したがって、本実施形態によると、空気が服の内部全体に行きわたるようになり、更に一段と体温調節効率が向上するものである。
また、本実施形態は、上記の通り第２流路部の経路の途中にファンＦが挿設され、服内の空気を循環させるようになされているが、図示はしないが、該ファンＦを挿設しないで構成してもよく、そしてまた、該構成において前記孔Ｈと反対側に、外部から空気を導入する導入口を設けるようになしてもよい。この場合には、導入口を介して外部から導入した空気を孔Ｈを介して直接人体に吹きっぱなしにするものである。その場合、孔Ｈ４は設けず、孔Ｈ４′のみを導入口として設ければよい。
【００４３】
次に、図７乃至図１１に示した本発明の第３実施形態について説明する。
【００４４】
本実施形態と前記第１実施形態との相違点は、本実施形態において本体部が４枚の樹脂シートをもって構成される点と重着部が帯状の重着部と環状の重着部とからなる点と、ファンによる空気の循環経路が異なる点にある。尚、図において第１実施形態におけると同一の部材には同一の符号を付して詳細な説明は省略する。
【００４５】
即ち、本実施形態においては、空気の流路の立体図である図１１において破線で示す部分の拡大断面図（図８）で示す通り、本体部１２が４枚の樹脂シートＳ１、Ｓ２、Ｓ３、Ｓ４とをもって構成されている。そしてまた、樹脂シートＳ１、Ｓ２における重着部は、周縁部の重着部Ｊを除き、前記第２実施形態におけると同様の帯状の重着部Ｊ１と、該帯状の重着部Ｊ１の間に設けられる、中心部に空気の流通する孔Ｈ２を有する環状の重着部Ｊ２とからなるものである。また、これら樹脂シートＳ１、Ｓ２の外側において樹脂シートＳ２に局部的に密着する樹脂シートＳ３と、樹脂シートＳ１、Ｓ２との重着部（３枚同時に重着される部分）Ｊ３は、平面視的には複数（本実施形態においては２つ）の第１流路部Ｌ１、Ｌ１に挟まれた位置にあり、中心部に空気の流通する孔Ｈ３を有する環状の重着部である。そして、該環状の重着部Ｊ３と後記重着部Ｊ５との間であって、かつ対向する樹脂シートＳ２、Ｓ３同士に挟まれる場所に、空気が流通する第２流路部Ｌ２が存在する。また、これら樹脂シートＳ１、Ｓ２、Ｓ３の外側において樹脂シートＳ３に局部的に密着する樹脂シートＳ４と、該樹脂シートＳ３との重着部（４枚同時に重着される部分）Ｊ５は、複数（本実施形態においては２つ）の第２流路部Ｌ２、Ｌ２に挟まれた位置にあり、中心部に空気の流通する孔Ｈ５を有する環状の重着部である。そして、該環状の重着部Ｊ５、Ｊ５同士の間であって、かつ対向する樹脂シートＳ３、Ｓ４同士に挟まれる場所に、空気が流通する第２流路部Ｌ２が存在する。
【００４６】
また、本実施形態におけるファンＦによる空気の循環経路は、図８乃至図１１に示す通りである。尚、図９において、ファンＦの陽圧側のフレキシブルダクトＦ′の下端部は、最上部の樹脂シートＳ４の半円状の切欠部Ｓ４′（該切欠部Ｓ４′の縁部は樹脂シートＳ３に重着されている。）を通ってその下方部の樹脂シートＳ３の孔Ｓ３′の部分に接合されており、また、図１０においてファンＦの陰圧側のフレキシブルダクトＦ′の下端部は、最上部の樹脂シートＳ４の孔Ｓ４″の部分に接合されている。
【００４７】
而して、ファンＦの陽圧側のフレキシブルダクトＦ′から吹き込まれた空気は、樹脂シートＳ２と樹脂シートＳ３の間に流入し、樹脂シートＳ１、Ｓ２の環状の重着部Ｊ２の孔Ｈ２から人体に向けて噴き出され、そして、人体に沿って流れた後、その一部は、樹脂シートＳ１、Ｓ２の環状の重着部Ｊ２の孔Ｈ２と、これらと樹脂シートＳ３の環状の重着部Ｊ３の孔Ｈ３から、樹脂シートＳ３と樹脂シートＳ４との間に流入する。また、空気の残りの一部は、樹脂シートＳ１、Ｓ２の環状の重着部Ｊ２の孔Ｈ２と、樹脂シートＳ３の環状の重着部Ｊ３の孔Ｈ３と、樹脂シートＳ４の環状の重着部Ｊ５の孔Ｈ５から外部に放出される。そして、ファンＦによって外部から上記の如くその陽圧側のフレキシブルダクトＦ′を介して空気を吹き込むものである。
【符号の説明】
【００４８】
１  体温調節服
１Ａ  胴部
１Ｂ、１Ｂ  袖部
２  前身頃
３  スライドファスナー
４  後身頃
１２  本体部
Ｓ１、Ｓ２、Ｓ３、Ｓ４  樹脂シート
Ｊ  周縁の重着部
Ｊ１  帯状の重着部
Ｊ２、Ｊ３、Ｊ４、Ｊ５  環状の重着部
Ｈ、Ｈ２、Ｈ３、Ｈ４、Ｈ５  環状の重着部の孔
Ｌ１  第１流路部
Ｌ２  第２流路部
【図１】
0006636339.tif 000002
【図２】
0006636339.tif 000003
【図３】
0006636339.tif 000004
【図４】
0006636339.tif 000005
【図５】
0006636339.tif 000006
【図６】
0006636339.tif 000007
【図７】
0006636339.tif 000008
【図８】
0006636339.tif 000009
【図９】
0006636339.tif 000010
【図１０】
0006636339.tif 000011
【図１１】
0006636339.tif 000012